(57)【要約】【課題】アンテナ基部２０にホルダー嵌合溝２５を形成して取付けホルダー１２を嵌め込むとき、Ｏリング１４に傷が付いたり、破損したりすることがなく、確実に組立てができ、しかも、長期間に渡ってＯリング１４の圧縮力が安定して得られるようなワッシャ用シートを提供すること。【解決手段】摩擦係数の小さな、薄いフィルムシート２７の外周縁部の１個所に、容易に分離可能な外周切れ目２８と中心部のピン孔３２を有するワッシャ２６を一体に形成するとともに、このワッシャ２６以外の残りのフィルムシート２７を２分割するための２つ割り切れ目２９形成してなる。【選択図】　図１
2004053014.tif 000002
【特許請求の範囲】
【請求項１】
摩擦係数の小さな、薄いフィルムシート２７の外周縁部の１個所に、容易に分離可能な外周切れ目２８と中心部のピン孔３２を有するワッシャ２６を一体に形成するとともに、このワッシャ２６以外の残りのフィルムシート２７を２分割するための２つ割り切れ目２９を形成してなることを特徴とするワッシャ用シート。
【請求項２】
取付けホルダー１２における回動軸１３の挿入される回動孔２１の回りに形成されたＯリング溝１６に、Ｏリング１４を嵌め込む工程と、このＯリング１４に、摩擦係数の小さな、薄いフィルムシート２７の一端部に、容易に分離可能な外周切れ目２８と中心部のピン孔３２を有するワッシャ２６を一体に形成するとともに、このワッシャ２６以外の残りのフィルムシート２７を２分割するための２つ割り切れ目２９を形成してなるワッシャ用シートを重ね合わせる工程と、この重ね合わせたものをアンテナ基部２０のホルダー嵌合溝２５に差し込む工程と、この差し込まれたＯリング１４付き取付けホルダー１２とフィルムシート２７とをアンテナ基部２０に回動軸１３で回転自在に取り付ける工程と、フィルムシート２７を２つ割り切れ目２９によって２分割してシート状のワッシャ２６以外の不要部分を抜き取る工程とからなることを特徴とするワッシャ用シートを使用した回転式アンテナの組立て方法。
【請求項３】
アンテナ基部２０におけるホルダー嵌合溝２５の内側面の軸孔１７の回りに形成されたＯリング溝１６に、Ｏリング１４を嵌め込む工程と、このＯリング１４に、摩擦係数の小さな、薄いフィルムシート２７の一端部に、容易に分離可能な外周切れ目２８と中心部のピン孔３２を有するワッシャ２６を一体に形成するとともに、このワッシャ２６以外の残りのフィルムシート２７を２分割するための２つ割り切れ目２９を形成してなるワッシャ用シートを重ね合わせる工程と、この重ね合わせた部分に、取付けホルダー１２を差し込む工程と、この差し込まれた取付けホルダー１２とＯリング１４付きアンテナ基部２０とフィルムシート２７とを回動軸１３で回転自在に取り付ける工程と、フィルムシート２７を２つ割り切れ目２９によって２分割してシート状のワッシャ２６以外の不要部分を抜き取る工程とからなることを特徴とするワッシャ用シートを使用した回転式アンテナの組立て方法。
【発明の詳細な説明】
【０００１】
【発明の属する技術分野】
本発明は、携帯電話、移動体通信機などの通信機器における送受信用として使用されるワッシャ用シート及びこのワッシャ用シートを使用した回転式アンテナの組立て方法に関するものである。
【０００２】
【従来の技術】
図５に示すように、この種の回転式アンテナ１０は、一般的に、アンテナ基部２０にアンテナコイル１９を接続し、このアンテナコイル１９の外周をプラスチックなどのカバー１８で被覆してなるもので、この回転式アンテナ１０は、通信機器本体１１から突出した取付けホルダー１２の先端部に、回動軸１３とＯリング１４によって回動自在に取り付けられる。
【０００３】
前記回転式アンテナ１０を取付けホルダー１２に取り付けるには、図６に示すように、前記アンテナ基部２０の端部に、軸孔１７を穿設し、この軸孔１７の回りにＯリング溝１６を設けてＯリング１４を嵌め込み、このＯリング１４に接するように取付けホルダー１２の側面を宛てがい、さらに、アンテナ基部２０の軸孔１７と取付けホルダー１２の回動孔２１を通してボルト、ピン等からなる回動軸１３を差し込み、アンテナ基部２０と取付けホルダー１２とを一体に組み込む。この際、回転式アンテナ１０は、１８０度の回転をさせてどの位置でも停止するように適度な圧接度を持つようにすることが必要で、そのためには、ゴムやプラスチックからなるＯリング１４の圧縮に対する適当な反発力が得られるように回動軸１３の締め付けで調整するようになっていた。
【０００４】
Ｏリング１４の圧縮に対する反発力を回動軸１３の締め付けで調整するのに代えて図７に示すように、アンテナ基部２０を抑え板２２と２部品とし、アンテナ基部２０の切欠き３３の深さを取付けホルダー１２の厚さよりやや大きくし、この切欠き３３に抑え板２２を組み込んだとき、隙間３４ができるようにすることで回動軸１３の締め付け程度に拘らずＯリング１４の圧縮力を一定値とするようにすることが考えられる。
【０００５】
【発明が解決しようとする課題】
図６に示すように、固定側の取付けホルダー１２と回動側のアンテナ基部２０とをＯリング１４を介して回動軸１３の締め付けで調整する方法は、回動軸１３の締め付け程度でＯリング１４の圧縮力が異なり、適度な圧縮力の調整が面倒であり、また、回転式アンテナ１０を回転するとき、回動軸１３も一体に回転して回動軸１３が抜け出たり、Ｏリング１４の圧縮力が得られなくなったりするという問題があった。
【０００６】
図７に示すものは、アンテナ基部２０の切欠き３３と取付けホルダー１２の厚さを予め設定することにより図６に示す問題は解消できるが、アンテナ基部２０の他に抑え板２２の２部品を必要とし、組立てが面倒であるばかりか、アンテナ基部２０と抑え板２２との組立て時の境界線が現われて外観上見苦しいと共に、回動軸１３で一体に組み立てるため、機械的な強度上にも弱点が生じるという問題がある。
さらに、図６及び図７に示すものは、いずれも摩擦抵抗の大きなＯリング１４と取付けホルダー１２とが直接接触するので、回転式アンテナ１０を回転したとき、Ｏリング１４にねじれが生じて、回転式アンテナ１０の回転戻り現象が生じるという問題もある。
【０００７】
そこで、アンテナ基部２０と抑え板２２とを一体物として、切欠き３３に代えてホルダー嵌合溝２５を形成することで、上記の問題は解消できるが、この場合、Ｏリング１４を嵌め込んだ後でアンテナ基部２０のホルダー嵌合溝２５に取付けホルダー１２を差し込むことになるため、Ｏリング１４の組立てが不可能か、むりやり圧入するとＯリング１４に傷が付いたり、破損したりして回転式アンテナ１０が円滑に回転できなかったり、回転力が低下したりする。
【０００８】
本発明は、アンテナ基部２０にホルダー嵌合溝２５を形成して取付けホルダー１２を嵌め込むとき、Ｏリング１４に傷が付いたり、破損したりすることがなく、確実に組立てができ、しかも、長期間に渡ってＯリング１４の圧縮力が安定して得られるようなワッシャ用シート及び回転式アンテナ並びにその組立て方法を提供することを目的とするものである。
【０００９】
【課題を解決するための手段】
本発明は摩擦係数の小さな、薄いフィルムシート２７の外周縁部の１個所に、容易に分離可能な外周切れ目２８と中心部のピン孔３２を有するワッシャ２６を一体に形成するとともに、このワッシャ２６以外の残りのフィルムシート２７を２分割するための２つ割り切れ目２９を形成してなることを特徴とするワッシャ用シートである。
【００１０】
本発明によるワッシャ用シートを使用した回転式アンテナの組立て方法は、取付けホルダー１２における回動軸１３の挿入される回動孔２１の回りに形成されたＯリング溝１６に、Ｏリング１４を嵌め込む工程と、このＯリング１４に、摩擦係数の小さな、薄いフィルムシート２７の一端部に、容易に分離可能な外周切れ目２８と中心部のピン孔３２を有するワッシャ２６を一体に形成するとともに、このワッシャ２６以外の残りのフィルムシート２７を２分割するための２つ割り切れ目２９を形成してなるワッシャ用シートを重ね合わせる工程と、この重ね合わせたものをアンテナ基部２０のホルダー嵌合溝２５に差し込む工程と、この差し込まれたＯリング１４付き取付けホルダー１２とフィルムシート２７とをアンテナ基部２０に回動軸１３で回転自在に取り付ける工程と、フィルムシート２７を２つ割り切れ目２９によって２分割してシート状のワッシャ２６以外の不要部分を抜き取る工程とからなる。
【００１１】
【発明の実施の形態】
以下、本発明の実施例を図面に基づき説明する。
図１において、回転式アンテナ１０は、アンテナ基部２０にアンテナコイル１９を接続し、このアンテナコイル１９の外周をプラスチックなどのカバー１８で被覆してなるもので、基本的には、図５と変わるところはない。前記アンテナ基部２０には、その端部に取付けホルダー１２を嵌めたとき、この取付けホルダー１２とホルダー嵌合溝２５との間に隙間３４が形成されるように、所定の幅と所定の深さを持ってホルダー嵌合溝２５が形成されている。また、このアンテナ基部２０の一方の側板部の外側面からホルダー嵌合溝２５を通り、他方の側板部の途中まで軸孔１７が穿設されている。この回転式アンテナ１０と組み立てられる取付けホルダー１２には、軸孔１７と一致して回動孔２１が貫通して穿設され、この接着層２３の一側面の回動孔２１の回りにＯリング溝１６が形成され、このＯリング溝１６にＯリング１４が一部突出して嵌め込まれている。
【００１２】
前記取付けホルダー１２とアンテナ基部２０を組み立てるときには、隙間３４に、シート状のワッシャ２６をＯリング１４とホルダー嵌合溝２５の内側面との間に介在し、その後、ピン、ボルト等からなる回動軸１３を軸孔１７、回動孔２１、軸孔１７へ圧入してＯリング１４が所定の圧縮力をもつように組み立てる。回転式アンテナ１０と取付けホルダー１２を組み立てた後、取付けホルダー１２を通信機器本体１１に組み込む。前記シート状のワッシャ２６は、摩擦抵抗の小さく、薄いフィルム状で、耐熱性と耐候性に優れ、適度の固さを有するＰＥＴ、シリコン、ポリイミド樹脂等から選ばれる。
組込後は、回転式アンテナ１０のアンテナコイル１９、アンテナ基部２０、取付けホルダー１２を経て電気的にも通信機器本体１１の内部へ接続される。
【００１３】
図１の実施例では、Ｏリング１４を嵌め込むためのＯリング溝１６を取付けホルダー１２側に形成した。しかし、製作がやや面倒ではあるが、図２に示すように、アンテナ基部２０におけるホルダー嵌合溝２５の一方の内側面にＯリング１４を嵌め込むためのＯリング溝１６を形成するようにしてもよい。
【００１４】
次に、図１に示すように、Ｏリング１４を嵌め込むためのＯリング溝１６を取付けホルダー１２側に形成した回転式アンテナ１０と取付けホルダー１２との組立て方法を図３及び図４に基づき説明する。
図１又は図２において、アンテナ基部２０にホルダー嵌合溝２５を形成し、取付けホルダー１２又はアンテナ基部２０にＯリング１４を嵌め込んだ後でホルダー嵌合溝２５に取付け、ホルダー１２を差し込むことにすると、前述のように、Ｏリング１４の組立てが不可能か、むりやり圧入することによりＯリング１４に傷が付いたり、破損したりして回転式アンテナ１０が円滑に回転できなかったり、回転力が低下したりする。
そこで、本発明では、取付けホルダー１２に、シート状のワッシャ２６を一体に形成したフィルムシート２７を重ね合わせてアンテナ基部２０のホルダー嵌合溝２５に差し込み、回動軸１３で固定した後、シート状のワッシャ２６を残してフィルムシート２７の不要部分を分離して抜き取るようにしたものである。
【００１５】
さらに詳細に説明する。
前記フィルムシート２７は、図３（ａ）（ｂ）に示すように、裏張りシート２４に接着層２３にてフィルムシート２７を剥離できるように積層したもので、このフィルムシート２７は、前記取付けホルダー１２の大きさよりやや大きな野球のホームベースのような略５角形を持って剥離線３１が入れられ、先端の尖った部分には、Ｏリング１４の外径と略同一の外周切れ目２８が形成されると共に、その中心部にピン孔３２が穿設され、さらに、シート状のワッシャ２６の外周切れ目２８からフィルムシート２７を２つに分離する２つ割り切れ目２９が形成されている。
【００１６】
次に組立て順序を図４に基づき説明する。
（ａ）裏張りシート２４に多数設けられたフィルムシート２７のうち、１個だけ剥がし取る。取付けホルダー１２のＯリング溝１６にＯリング１４を嵌め込み、このＯリング１４にフィルムシート２７のシート状のワッシャ２６を重ね合わせ、取付けホルダー１２とフィルムシート２７を一体にアンテナ基部２０のホルダー嵌合溝２５に差し込む。このとき、図中右側方から差し込むようにすると、シート状のワッシャ２６部分がホルダー嵌合溝２５の縁に当ってめくれることがあるので、ホルダー嵌合溝２５の図中上方から差し込む。すると、シート状のワッシャ２６の下方の取付けホルダー１２からはみ出していて後に取り除かれる傾斜面部分がホルダー嵌合溝２５への挿入の案内となる。
（ｂ）シート状のワッシャ２６のピン孔３２と取付けホルダー１２の回動孔２１がアンテナ基部２０の軸孔１７に一致したら回動軸１３を差し込んでアンテナ基部２０と取付けホルダー１２とを一体に組み立てる。
（ｃ）組立て後に、左右のフィルムシート２７の両端部に左右の手の指をかけて２つ割り切れ目２９の部分を開くようにして分離する。このフィルムシート２７は、シート状のワッシャ２６の外周切れ目２８にても分離される。
（ｄ）２つに分離したフィルムシート２７をそれぞれ取付けホルダー１２とアンテナ基部２０との間から抜き取る。すると、Ｏリング１４とホルダー嵌合溝２５の内側面との間にシート状のワッシャ２６が残った状態で組立てが完了する。
【００１７】
以上の実施例では、Ｏリング１４を嵌め込むためのＯリング溝１６を取付けホルダー１２側に形成した図１の場合におけるシート状のワッシャ２６の挿入方法について説明した。しかし、図２に示すように、アンテナ基部２０におけるホルダー嵌合溝２５の一方の内側面にＯリング１４を嵌め込むためのＯリング溝１６を形成した場合には、図４と同様に、取付けホルダー１２の一側面に、シート状のワッシャ２６を一体に形成したフィルムシート２７を重ね合わせてアンテナ基部２０のホルダー嵌合溝２５に差し込み、回動軸１３で固定した後、シート状のワッシャ２６を残してフィルムシート２７の不要部分を抜き取るようにすることができるが、その他、ホルダー嵌合溝２５の一方の内側面のＯリング１４に予めシート状のワッシャ２６を一体に形成したフィルムシート２７を重ね合わせてその後、取付けホルダー１２をホルダー嵌合溝２５に挿入するようにしてもよい。さらに詳しくは、まず、アンテナ基部２０のホルダー嵌合溝２５に、フィルムシート２７をそのシート状のワッシャ２６のピン孔３２がアンテナ基部２０の軸孔１７と一致する位置まで差し込む。次に、フィルムシート２７をホルダー嵌合溝２５の挿入開口部でやや外側に折り曲げつつ取付けホルダー１２を挿入する。フィルムシート２７は、摩擦係数が小さいため、取付けホルダー１２は、ホルダー嵌合溝２５へ円滑に挿入される。取付けホルダー１２の挿入後は、前記同様に回動軸１３で固定した後、シート状のワッシャ２６を残して余分なフィルムシート２７を抜き取ることにより、Ｏリング１４が傷付いたり、捩れたりすることなく嵌め込みを完了する。
【００１８】
前記実施例では、フィルムシート２７を５角形としたが、円形その他の形状であってもよい。この場合、フィルムシート２７の外周縁部の１個所に、容易に分離可能な外周切れ目２８と中心部のピン孔３２を有するシート状のワッシャ２６を一体に形成すればよい。
前記実施例では、アンテナ基部２０の端部にホルダー嵌合溝２５を形成して取付けホルダー１２を嵌合するようにした。しかし、これに限られるものではなく、図６に示すように、アンテナ基部２０の端部と取付けホルダー１２の相互の回転接触面のいずれか一方にＯリング１４を嵌合するＯリング溝１６を設け、Ｏリング１４と回転接触面のいずれか他方の面との間にシート状のワッシャ２６を介在して回動軸１３で回転自在に取り付けるようにしたものであってもよい。
【００１９】
【発明の効果】
本発明によるワッシャシートは、摩擦係数の小さな、薄いフィルムシート２７の外周縁部の１個所に、容易に分離可能な外周切れ目２８と中心部のピン孔３２を有するシート状のワッシャ２６を一体に形成するとともに、このシート状のワッシャ２６以外の残りのフィルムシート２７を２分割するための２つ割り切れ目２９形成したので、Ｏリング１４の圧縮力を付与した状態で、回転を得る場合のワッシャとして用いるのに好適である。
【００２０】
取付けホルダー１２における回動軸１３の挿入される回動孔２１の回りに形成されたＯリング溝１６に、Ｏリング１４を嵌め込む工程と、このＯリング１４に、摩擦係数の小さな、薄いフィルムシート２７の一端部に、容易に分離可能な外周切れ目２８と中心部のピン孔３２を有するワッシャ２６を一体に形成するとともに、このワッシャ２６以外の残りのフィルムシート２７を２分割するための２つ割り切れ目２９を形成してなるワッシャ用シートを重ね合わせる工程と、この重ね合わせたものをアンテナ基部２０のホルダー嵌合溝２５に差し込む工程と、この差し込まれたＯリング１４付き取付けホルダー１２とフィルムシート２７とをアンテナ基部２０に回動軸１３で回転自在に取り付ける工程と、フィルムシート２７を２つ割り切れ目２９によって２分割してシート状のワッシャ２６以外の不要部分を抜き取る工程とからなるので、アンテナ基部２０のホルダー嵌合溝２５へＯリング１４付き取付けホルダー１２を組立てることができ、このとき、Ｏリング１４に傷が付いたり、破損したりすることがなく、常に、回転式アンテナ１０が円滑に回転でき、回転力も一定である。
【００２１】
アンテナ基部２０の端部と取付けホルダー１２の相互の回転接触面のいずれか一方にＯリング１４を嵌合するＯリング溝１６を設け、Ｏリング１４と回転接触面のいずれか他方の面との間にシート状のワッシャ２６を介在して回動軸１３で回転自在に取り付けるようにした場合には、回転式アンテナの構造を可能な限り薄くすることができるとともに、ワッシャ用のフィルムシート２７はＯリング１４に比較して充分大きいので、小さなＯリング１４への位置合わせが容易であるなど扱い易く、組立て工程も簡単になる。
【図面の簡単な説明】
【図１】本発明によるワッシャ用シートの第１実施例を示す要部の断面図である。
【図２】本発明によるワッシャ用シートの第２実施例を示す要部の断面図である。
【図３】本発明によるフィルムシート２７の一実施例を示すもので、（ａ）は、断面図、（ｂ）は、平面図である。
【図４】（ａ）（ｂ）（ｃ）（ｄ）は、本発明によるワッシャ用シートを使用した回転式アンテナの組立て方法を示す工程説明図である。
【図５】一般的な回転式アンテナ１０の説明図である。
【図６】従来の回転式アンテナ１０の取付け状態を示す断面図である。
【図７】従来の回転式アンテナ１０の他の取付け状態を示す断面図である。
【符号の説明】
１０…回転式アンテナ、１１…通信機器本体、１２…取付けホルダー、１３…回動軸、１４…Ｏリング、１５…ホルダー嵌合部、１６…Ｏリング溝、１７…軸孔、１８…カバー、１９…アンテナコイル、２０…アンテナ基部、２１…回動孔、２２…抑え板、２３…接着層、２４…裏張りシート、２５…ホルダー嵌合溝、２６…ワッシャ、２７…フィルムシート、２８…外周切れ目、２９…２つ割り切れ目、３１…剥離線、３２…ピン孔、３３…切欠き、３４…隙間。
【図１】
2004053014.tif 000003
【図２】
2004053014.tif 000004
【図３】
2004053014.tif 000005
【図４】
2004053014.tif 000006
【図５】
2004053014.tif 000007
【図６】
2004053014.tif 000008
【図７】
2004053014.tif 000009